(57)【要約】【課題】浴槽の底部の排水口に取付ける排水口金具が露出して、汚れが付着し易く、また付着した汚れが目立って外観を損ねる、といったことを防止する浴槽の排水栓装置を提供する。【解決手段】浴槽１の底部１１の排水口１０の端縁に排水口金具３を取付け、該排水口金具３にメカボックス４を取付け、メカボックス４内に、該メカボックス４に対して自在に上下動して排水口１０となる排水口金具３の中央部の穴３３を開閉する密閉栓蓋５を収容してなる浴槽１の排水栓装置２である。密閉栓蓋５を下動して前記穴３３を閉塞した際に密閉栓蓋５の端縁が浴槽１の底部１１に当接して排水口金具３が密閉栓蓋５に覆われる。【選択図】        図１
2010053539.tif 000002
【特許請求の範囲】
【請求項１】
浴槽の底部の排水口の端縁に排水口金具を取付け、該排水口金具にメカボックスを取付け、メカボックス内に、該メカボックスに対して自在に上下動して排水口となる排水口金具の中央部の穴を開閉する密閉栓蓋を収容してなる浴槽の排水栓装置において、密閉栓蓋を下動して前記穴を閉塞した際に密閉栓蓋の端縁が浴槽の底部に当接して排水口金具が密閉栓蓋に覆われることを特徴とする浴槽の排水栓装置。
【請求項２】
浴槽の底部の排水口の端縁に排水口金具を取付け、該排水口金具にメカボックスを取付け、メカボックス内に、該メカボックスに対して自在に上下動して排水口となる排水口金具の中央部の穴を開閉する密閉栓蓋を収容してなる浴槽の排水栓装置において、排水口金具を浴槽の底部の下側に配置し、密閉栓蓋を下動して前記穴を閉塞した際に密閉栓蓋の端縁が浴槽の底部に当接することを特徴とする浴槽の排水栓装置。
【請求項３】
密閉栓蓋の端縁がパッキンを介して浴槽の底部に当接することを特徴とする請求項１又は２記際の浴槽の排水栓装置。
【発明の詳細な説明】
【技術分野】
【０００１】
本発明は、密閉蓋栓にて浴槽の排水口を開閉する浴槽の排水栓装置に関するものである。
【背景技術】
【０００２】
従来から、浴槽の排水栓装置としてポップアップ式の排水栓が知られている（例えば特許文献１参照）。これは、図３に示すように、浴槽１の底部１１の排水口１０に、レリース４０を遠隔より操作して密閉栓蓋５を開閉する排水栓装置２を設け、前記レリース４０を、浴槽１のフランジ部１２に設けた操作部７に連結して、使用者が操作部７の操作ボタン７１を操作して遠隔操作で排水口１０を開閉するものである。
【０００３】
浴槽１の底部１１の排水口１０の端縁には、排水口金具３を取付けて、排水口金具３の中央部の穴３３を実質的な排水口１０とし、該排水口１０を密閉栓蓋５の上下動により開閉するものである。
【特許文献１】特開２００１−２９５３４３号公報
【発明の開示】
【発明が解決しようとする課題】
【０００４】
上記従来の排水栓装置２にあっては、排水口金具３が密閉栓蓋５の周囲に露出していて、該排水口金具３の表面や端縁等に汚れＳが付着し易く、また、汚れＳが付着すると目立ってしまい、外観を損ねるものであった。
【０００５】
本発明は上記従来の問題点に鑑みて発明したものであって、その目的とするところは、浴槽の底部の排水口に取付ける排水口金具が露出して、汚れが付着し易く、また付着した汚れが目立って外観を損ねる、といったことを防止する浴槽の排水栓装置を提供することを課題とするものである。
【課題を解決するための手段】
【０００６】
上記課題を解決するために請求項１に係る発明にあっては、浴槽１の底部１１の排水口１０の端縁に排水口金具３を取付け、該排水口金具３にメカボックス４を取付け、メカボックス４内に、該メカボックス４に対して自在に上下動して排水口１０となる排水口金具３の中央部の穴３３を開閉する密閉栓蓋５を収容してなる浴槽１の排水栓装置２において、密閉栓蓋５を下動して前記穴３３を閉塞した際に密閉栓蓋５の端縁が浴槽１の底部１１に当接して排水口金具３が密閉栓蓋５に覆われることを特徴とするものである。
【０００７】
このような構成とすることで、密閉栓蓋５を下動した際に排水口金具３が密閉栓蓋５に覆われて露出することがなく、排水口金具３の表面や端縁等には浴槽１水を排水する時のみ浴槽１水が流れるため汚れが付着し難いものであり、また、密閉栓蓋５が下動している時は勿論、上動している時にも排水口金具３が見え難くて、排水口金具３の表面や端縁等に付着した汚れが目立たないものである。
【０００８】
また、請求項２に係る発明にあっては、浴槽１の底部１１の排水口１０の端縁に排水口金具３を取付け、該排水口金具３にメカボックス４を取付け、メカボックス４内に、該メカボックス４に対して自在に上下動して排水口１０となる排水口金具３の中央部の穴３３を開閉する密閉栓蓋５を収容してなる浴槽１の排水栓装置２において、排水口金具３を浴槽１の底部１１の下側に配置し、密閉栓蓋５を下動して前記穴３３を閉塞した際に密閉栓蓋５の端縁が浴槽１の底部１１に当接することを特徴とするものである。
【０００９】
このような構成とすることで、排水口金具３が浴槽１の底部１１よりも上側に露出することがなく、排水口金具３には浴槽１水を排水する時のみ浴槽１水が流れるため汚れが付着し難いものであり、また、排水口金具３の表面や端縁等に付着した汚れが見えないものである。
【００１０】
また、請求項３に係る発明は、請求項１又は２に係る発明において、密閉栓蓋５の端縁がパッキンＰを介して浴槽１の底部１１に当接することを特徴とするものである。
【００１１】
このような構成とすることで、止水を確実に行うことができる。
【発明の効果】
【００１２】
本発明にあっては、排水口金具の表面や端縁等に汚れが付着し難いため、清掃の手間がかからず、また、汚れが付着しても目立たないため外観を損ねることもないものである。
【発明を実施するための最良の形態】
【００１３】
以下、本発明の一実施形態について図１に基づいて説明する。
【００１４】
本発明の排水栓装置２は、レリース４０を介して密閉栓蓋５を遠隔操作する所謂ポップアップ式の排水栓装置であって、浴槽１の底部１１に形成される、浴槽１の湯水を排水するための排水口１０の端縁に取付けられる。
【００１５】
排水栓装置２は、後述するメカボックス４を収容した排水口金具３と、該排水口金具３とレリース４０を介して接続される操作部７とで主体が構成される。
【００１６】
排水口金具３は、排水口１０内に挿入されると共に外面に雄ねじが形成してある排水筒部３２と、該排水筒部３２の上端に形成されるフランジ部３１とからなり、前記排水筒部３２を上方から排水口１０内に挿入して、排水口金具３のフランジ部３１を浴槽１の底部１１の排水口１０の周縁部の上面にシスターパッキンＰ１を介して当接させ、下方よりナット６を前記排水筒部３２の雄ねじに螺合させて締結し、排水口金具３のフランジ部３１とナット６とで浴槽１の底部１１を挟持することで、排水口金具３を浴槽１の底部１１に固定している。そして、排水筒部３２の中央部の穴３３が実質的に浴槽１の排水口１０となる。なお、排水口金具３は金属でなく別部材で形成してもよい。
【００１７】
排水口金具３には、排水筒部３２内にメカボックス４が配設固定される。メカボックス４には底部１１の孔よりレリース４０の一端側が挿入されていて、レリース４０の挿入・引出によりメカボックス４の蓋部の孔から上方に軸部４１が突出・没入する。これにより軸部４１の上端に固定されている密閉栓蓋５がメカボックス４に対して自在に上下動して、排水口１０となる排水口金具３の中央部の穴３３を開閉する。密閉栓蓋５が上動した時に排水口１０を開放して浴槽１内と排水管（図示せず）とを連通させた状態とすると共に、下動した時に排水口１０を閉塞するものである。密閉栓蓋５については後で説明する。
【００１８】
レリース４０の一端側は上述した密閉栓蓋５（正確には密閉栓蓋５から下方に突出する軸部４１）に接続されると共に、他端側は、浴槽１のフランジ部３１に設けた操作部７の操作ボタン７１に接続されていて（従来例の図３参照）、使用者がこの操作ボタン７１を操作することによりレリース４０の押出・引張が行われてメカボックス４への挿入・引出が行われる。
【００１９】
本発明では、密閉栓蓋５を下動して前記穴３３を閉塞した際に、密閉栓蓋５の端縁が浴槽１の底部１１の排水口１０の周囲の上面に当接し、排水口金具３が密閉栓蓋５に覆われて露出しないようになっている。本実施形態では、密閉栓蓋５の端縁がパッキンＰを介して浴槽１の底部１１の排水口１０の周囲の上面に当接する。なお本実施形態では、浴槽１の底部１１の排水口１０の周囲は排水口１０から離れる程上方に位置する傾斜を有しているが、フラットであってもよい。
【００２０】
このようにすることで、密閉栓蓋５を下動して排水口１０を閉塞した際、排水口金具３が密閉栓蓋５に覆われて露出することがなく、汚れた浴槽１水が溜まっている時に排水口金具３の表面や端縁等に浴槽１水が接して汚れが付着することがなく、浴槽１水を排水する時のみ排水口金具３の表面や端縁等を浴槽１水が流れるため汚れが付着し難いものである。
【００２１】
また、密閉栓蓋５が下動している時は勿論、上動している時にも排水口金具３が見え難くて、排水口金具３の表面や端縁等に付着した汚れが目立たないものである。
【００２２】
次に、他の実施形態について図２に基づいて説明する。本実施形態では、排水口金具３を浴槽１の底部１１の下側に配置することで、密閉栓蓋５を下動して前記穴３３を閉塞した際に、排水口金具３が密閉栓蓋５に覆われて露出しないようにしている。
【００２３】
本実施形態の排水口金具３は、外面に雄ねじが形成してあり内部に実質的な排水口１０となる穴３５を備えた排水筒部３４と、排水筒部３４の上端部から外側に連設され浴槽１の底部１１の排水口１０の周囲の下面にパッキンＰ２を介して当接するフランジ部３６と、排水筒部３４から内部に向けてアーム状に連設されメカボックス４が固定されるメカボックス固定部３７と、からなる。メカボックス固定部３７にメカボックス４を固定してあり、また、固定ネジ３８をフランジ部３６及びパッキンＰ２に挿通させて浴槽１の底部１１に螺着して、排水口金具３を浴槽１の底部１１に固定している。
【００２４】
このようにすることで、排水口金具３が浴槽１の底部１１よりも上側に露出することがなく、汚れた浴槽１水が溜まっている時に排水口金具３の表面や端縁等に浴槽１水が接して汚れが付着することがなく、浴槽１水を排水する時のみ排水口金具３の表面や端縁等を浴槽１水が流れるため汚れが付着し難いものである。
【００２５】
また、排水口金具３の表面や端縁等に付着した汚れが見えないものである。
【図面の簡単な説明】
【００２６】
【図１】本発明の一実施形態の排水栓装置の断面図である。
【図２】他の実施形態の排水栓装置の断面図である。
【図３】従来例の排水栓、操作部及びレリースの断面図である。
【符号の説明】
【００２７】
１    浴槽
１１  底部
１０  排水口
２    排水栓装置
３    排水口金具
３１  フランジ部
３２  排水筒部
３３  穴
４    メカボックス
４０  レリース
４１  軸部
５    密閉栓蓋
６    ナット
Ｐ    パッキン
Ｐ１  シスターパッキン
【図１】
2010053539.tif 000003
【図２】
2010053539.tif 000004
【図３】
2010053539.tif 000005